(57)【特許請求の範囲】
【請求項１】
貯蔵室の内壁部に設けた棚受部材によって貯蔵物載置用の棚を受ける棚受梁を棚受部材に係止する上面壁と両曲部とにより断面コ字状に形成し、該両曲部に嵌合部を備えた樹脂板を嵌め込み、該両曲部にて開口された開口部を閉鎖することを特徴とする貯蔵庫の棚受構造。
【請求項２】
該樹脂板の左右両端部を該嵌合部を残して切り欠くとともに、切り残された該嵌合部の少なくとも１個所に該棚受梁の該曲部に固着する固着孔を備えたことを特徴とする請求項１の貯蔵庫の棚受構造。
【請求項３】
該樹脂板に該貯蔵物に関する情報等が記載された表示板を取付可能な取付部を一体に形成したことを特徴とする請求項１または２の貯蔵庫の棚受構造。
【発明の詳細な説明】
【０００１】
【産業上の利用分野】
本発明は、業務用冷蔵庫等の貯蔵物を載置する棚の棚受構造に関するものである。
【０００２】
【従来の技術】
従来は、特開平８−７５３４７号に開示されているように、業務用冷蔵庫等の棚受用の梁を汎用の角パイプで形成しており、棚受金に係止する際に、角パイプ内に棚受金を嵌込みし易くするために、角パイプ両端を下方にかけて、斜めに切断したあと、切断した際に角パイプにできたバリを取り除いて、棚受用の梁として使用していた。
【０００３】
【発明が解決しようとする課題】
上記従来の構造は、角パイプの形状であるため、棚受用の梁を手で持って、両端開口部分の４辺に生じた切断時のバリを取り除くしかなく、作業性が悪いためコストアップにつながってしまった。
また、棚受用の梁は角パイプの形状なので、貯蔵物から出た汁等や貯蔵庫内で発生する露が、角パイプ両端から伝わって角パイプ内に入り込むこともあり、掃除がし難く、不衛生であった。
【０００４】
【課題を解決するための手段】
上記従来の課題を解決するための手段として、本発明の請求項１は、貯蔵室の内壁部に設けた棚受部材によって貯蔵物載置用の棚を受ける棚受梁を棚受部材に係止する上面壁と両曲部とにより断面コ字状に形成し、該両曲部に嵌合部を備えた樹脂板を嵌め込み、該両曲部にて開口された開口部を閉鎖することを特徴としている。
また、請求項２は、請求項１の貯蔵庫の棚受構造において、該樹脂板の左右両端部を該嵌合部を残して切り欠くとともに、切り残された該嵌合部の少なくとも１個所に該棚受梁の該曲部に固着する固着孔を備えたことを特徴としている。
さらに、請求項３は、請求項１または２の貯蔵庫の棚受構造において、樹脂板に該貯蔵物に関する情報等が記載された表示板を取付可能な取付部を一体に形成したことを特徴としている。
【０００５】
【発明の作用及び効果】
請求項１の発明は、貯蔵室の内壁部に設けた棚受部材によって貯蔵物載置用の棚を受ける棚受梁を棚受部材に係止する上面壁と両曲部とにより断面コ字状に形成し、該両曲部に嵌合部を備えた樹脂板を嵌め込み、該両曲部にて開口された開口部を閉鎖するようにしたので、板材を切断し、両端面のバリ取り後に曲げ加工をして、棚受梁を製作するようにしたので、棚網の荷重を十分に耐えられる形状であるとともに、簡単に製作できることにより、コストダウンが計れた。また、棚受梁の開口部に樹脂材を備えたので、開口部のバリ取りが必要なくなるとともに、棚受梁両端の開口部から、棚受梁の内側に貯蔵物から出た汁等や貯蔵庫内で発生する露が入っても、樹脂板が脱着可能なので、掃除もし易く、衛生的であった。さらに。樹脂板が備わっていないと、貯蔵物例えばに野菜の出し入れの際に、棚受梁に接触した場合に野菜に傷を付けることもあるが、樹脂板を付けることにより、野菜等の貯蔵物に傷を付けることがない。
また、請求項２は、該樹脂板の左右両端部を該嵌合部を残して切り欠くとともに、切り残された該嵌合部の少なくとも１個所に該棚受梁の該曲部に固着する固着孔を備えているので、棚受部材に棚受梁を係止しようとする際にも係止しやすくなった。また、切り残された嵌合部の少なくとも１個所と棚受梁とを固着しているので、棚受梁から樹脂板が抜けることはなく、簡単に樹脂板を棚受梁に固定できた。さらに、切り残された嵌合部は、樹脂板の端部にあるので、固着する際に工具等が届き易いので、作業性が向上した。
また、請求項３は、樹脂板に該貯蔵物に関する情報等が記載された表示板を取付可能な取付部を一体に形成しているので、表示板をわざわざ備える必要がなく、しかも、樹脂板であることにより熱伝導もなく、また、柔軟性があるので表示板を挿入する場合でも挿入し易く、外れ難くなった。
【０００６】
【発明の実施の形態】
以下、本発明の一実施形態について、業務用冷蔵庫に適用した実施形態を図１ないし図７に基づいて説明する。なお、従来と同じ部分については同じ符号を付けて説明する。
この実施形態では、図１、２において、符号１は、内部に冷蔵室２を構成した冷蔵庫本体であって、前面に冷蔵物を出し入れする出し入れ口３が開口されており、水平方向の仕切部４で上下二段に分けられている。その出し入れ口３に、それぞれ取手６を備えた観音開き式の扉５が上下二段に対応して装着されている。本体１は４本の脚７で支えられ、冷蔵室２の上方には機械室８が設けられている。
【０００７】
続いて、棚受構造について詳細に説明する。まず、棚網１０は、線材を格子状に組み付けることによって形成されており、冷蔵室２の全幅に渡る大型のもの１０ａと、冷蔵室２の幅方向に２分割された小型のもの１０ｂの２種類が備えられている。
なお、冷蔵室２内には、その奥壁に計４本の棚受柱１２が、また、左右の側壁の出し入れ口３付近に互いに対向する２本の棚受柱１２が、それぞれ立設されている。各棚受柱１２は、図３に示すように、細長い金属板をプレス成形して幅方向の中央部分に凸面１３を形成した形状であって、その凸面１３上に方形をなす複数個の取付孔１４が一定のピッチで形成されている。
【０００８】
その取付孔１４に装着される棚受金１６は、同じく金属板をプレス成形することにより、係合突起２７を備えた載置部１７と支え部１８とからなる略Ｖ字形に形成されている。載置部１７の先端縁には、外方に直角曲げされて上記の取付孔１４に嵌められる引掛部１９が形成されている。その引掛部１９は、取付孔１４に引っ掛けられたのちの脱落を防止するために、その長さ寸法が取付孔１４の開口長さよりも長くなっている。一方の支え部１８の先端縁には、取付孔１４に差し込まれる差込部２０が形成され、その先端が内側に略直角に曲げられて案内部２１が形成されている。
【０００９】
この棚受金１６を棚受柱１２に取り付けるには、まず図３（ｂ）の鎖線に示すように引掛部１９を所望の取付孔１４に差し込んで、案内部２１の先端を、その下の取付孔１４の下縁の上に載せる。続いて、支え部１８の下端側を矢線ａ方向に押し込むと、案内部２１で案内されつつ差込部２０が同図（ｂ）の実線に示すように下側の取付孔１４内に押し込まれ、支え部１８の下縁が棚受柱１２の凸面１３に突き当たった状態で取り付けられる。このように棚受金１６が取り付けられると、載置部１７が水平姿勢を取って棚網１０を載置するように機能し、また、支え部１８が、棚網１０を載置した載置部１７に加わる荷重を受ける機能を果たす。
【００１０】
図４に示すように、棚受梁２３はステンレス製等の長板状の金属板を長辺側を内側に曲げ加工し、断面コ字状に形成し、断面コ字状の両端部３６をさらに内側に曲げた曲部２４に、図５に示すような樹脂板２９を固着するために、ネジ等を通す貫通孔２８を曲部２４の両端に備え、棚受梁２３の上面壁２５の両端には、棚受金２６の係合突起２７が嵌合可能な係合孔３２が形成されている。
また、棚受梁２３の曲部２４に備える樹脂板２９は、図５に示すように、押出し成形で長板状に形成され、長辺側端部に棚受梁２３の曲部２４を嵌める断面Ｕ字状の嵌込部３０を２個所備えており、棚受梁２３の曲部２４に樹脂板２９の嵌合部３０を差込み、樹脂板２９を棚受梁２３に備えるようになっている。なお、樹脂板２９は樹脂製なので、棚受梁２９の端部３６に円滑に差し込まれるようになっている。
また、樹脂板２９の嵌合部３０には固着孔３５が形成されており、この固着孔３５と棚受梁２３の曲部２４に備えた貫通孔２８にネジやリベット等を通し、樹脂板２９と棚受梁２３とを共締めし固着している。
以上の構造により、棚受梁２３は金属板からプレスにて切断および曲げ加工を行い製作され、金属板の切断時に生じるバリは曲げ加工する前の長板の状態の時にバリ取りができるので、非常に加工性が良い。また、棚受梁２３は長尺もので重量もあるので、長辺側端部のバリ取り作業は手間であったが、安価な押出し樹脂成形品を嵌め込むことにより長辺側の辺部３６のバリ取りを廃止しても良くなった。
なお、曲部２４に備えた貫通孔２８は曲部２４の両端に２個所設けられており、１個の固着孔３５を備えた樹脂板２９を左右違えて棚受梁２３に嵌め込みしても、棚受梁２３に固着できるようようになっている。
【００１１】
本実施例は上記のような構造であって、続いてその作用を説明する。まず、冷蔵室２の奥壁に設けられた棚受柱１２の所望の同一高さ位置ごとに、上記した要領でそれぞれ棚受金１６を取り付ける。続いて、左右の側壁の棚受柱１２の間に棚受梁２３を差し渡すのであるが、まず、左右いずれか一方の棚受柱１２に、奥壁の棚受柱１２と同一高さ位置において同じ要領で棚受金１６を取り付ける。続いて、棚受梁２３の一端側を、その取り付けられた棚受金１６の外側に軸線方向に嵌め込む。
また、もう一方の棚受柱１２には、同一高さ位置において、棚受金１６の引掛部１９のみを取付孔１４に引っ掛けた状態とし、図６（ａ）に示すように、その棚受金１６の支え部１８に、棚受梁２３の未だ嵌合されていない側の端部を当てる。続いて、その端部を押し下げると、図６（ｂ）に示すように、棚受金１６が棚受梁２３の端部内に入り込む。その後、棚受金１６の支え部１８の下端側を矢線ａ方向に押して、上記と同様に棚受金１６を棚受柱１２に取り付ける。これにより、棚受梁２３は、図７に示すように、その両端が棚受金１６に抜け不能に嵌められ、各棚受金１６の載置部１７で受けられた状態で、左右の棚受柱１２の間に差し渡される。
【００１２】
そして、図２に示すように、大型の棚網１０ａを冷蔵室２内に挿入すると、その挿入方向の前縁が、冷蔵室２の奥壁の棚受柱１２に取り付けられた４個の棚受金１６で受けられ、また、後縁側が全長にわたって棚受梁２３で受けられて支持されるのである。
また、２分割された小型の棚網１０ｂについても、挿入方向の前縁が右側または左側の２個の棚受金１６で受けられ、後縁側が棚受梁２３で受けられて支持される。
【００１３】
このように本実施例によれば、棚受梁２３はステンレス等の金属板の長辺側端部３６を内側に曲げ加工し、その曲部２４に樹脂板２９を備え、棚受柱１２に備えた棚受金１６に係止されている構造なので、棚網１０や貯蔵物の重量にも十分耐えることができ、バリ取り作業も軽減されることから棚受梁２３を安価に製造できる。また、樹脂板２９は、棚受梁２３の曲部２４に嵌め込むように備わっているので、樹脂板２９が外れたりすることはない。さらに、棚受梁２３内にゴミ等が入っても、樹脂板を外せば、簡単に掃除ができる。
【００１４】
＜第２実施例＞図８および図９に示すように、棚受梁２４の第２実施例は、樹脂板２９の短辺側の両辺に、嵌合部３０を残して切欠部３１を備えている。この切欠部３１は棚受金１６の載置部１７の面積より広く切り欠かかれているので、図１０に示すように、上方から棚受梁２９を棚受金１６に係止した時に、棚受金１６の載置部１７に接触せずに係止しやすい構造になっている。
また、切欠部３１により残された嵌合部３０の４個所のうち１個所には固着孔３５が形成されており、この固着孔３５と棚受梁２３の曲部２４に備えた貫通孔２８とが合わさり、そこにネジやリベット等を通し、樹脂板２９と棚受梁２３とを共締め固着している。
＜第３実施例＞図１１に示すように、棚受梁２９の内側に曲げた曲部２４は、曲げずに伸ばした状態の断面コ字状でもよく、この形状の場合は樹脂板２９も嵌合部３０を内側に曲部２４に対向する形で曲げるように形成すればよい。また、樹脂板２９に固着孔３５を備えて、この固着孔３５と棚受梁２４の貫通孔２８とにネジやリベット等を通し、樹脂板２９と棚受梁２３とを共締め固着してもよい。＜第４実施例＞図１２に示すように、棚受梁２９の第４実施例は、押出し成形で一体に形成されている図１１（ｂ）で示す樹脂板２９は、長辺側の辺部から延長して貯蔵物等の内容や価格の表示板が取付可能である取付部３２を一体に形成している。
この取付部３２により、表示板を固定する部材をわざわざ備える必要がなく、しかも、樹脂製であることにより熱伝導もなく、また、柔軟性があるので表示板を挿入する場合でも挿入し易く、外れ難くなった。また、この取付部３２を備えた樹脂板２９を棚受梁２３の設けたことにより、棚網に置く物の名称を記載した表示板を取付部３２に差し込んでおけば、貯蔵物の収納場所が分かり、収納や取出しが便利になる。特に、ガラス扉の陳列ショーケースの場合は、扉を開けないでも、貯蔵物が確認でき、収納や取出しが便利になる。また、整理整頓が自然に行われるようになるので、ドアを空けてからものを探すこともなくなり、ドアの開時間が短縮され省エネにもつながる。
その他の構造については上記第１実施例と同様であるから、同一部分には同一符号を付して重複する説明を省略する。
【００１５】
＜他の実施例＞本発明は上記記述及び図面によって説明した実施例に限定されるものではなく、例えば次のような実施態様も本発明の技術的範囲に含まれ、さらに、下記以外にも要旨を逸脱しない範囲内で種々変更して実施することができる。例えば、上記実施例で例示した業務用冷蔵庫に限らず、ショーケースや他の貯蔵庫全般に広く適用することができる。また、貯蔵物を載置する棚として、網状でない棚板を使用したものにも同様に適用できる。
【図面の簡単な説明】
【図１】本発明の冷蔵庫の斜視図
【図２】本発明の冷蔵庫の扉を外した斜視図
【図３】本発明の棚受柱と棚受金の概要図
【図４】本発明の棚受梁の概要斜視図
【図５】本発明の樹脂板概要図
【図６】本発明の棚受梁の棚受金への装着動作を示す概要図
【図７】本発明の棚受梁を棚受金に装着した概要図
【図８】本発明の第２実施例の棚受梁概要斜視図
【図９】本発明の第２実施例の樹脂板の概要図
【図１０】本発明の第２実施例の棚受梁を棚受金に装着した概要図
【図１１】本発明の第３実施例の棚受梁側面図
【図１２】本発明の第４実施例の棚受梁を棚受金に装着した概要図および樹脂板の側面図
【符号の説明】
１…冷蔵庫
２…冷蔵室
３…出し入れ口
４…仕切部
５…扉
６…取手
７…脚
８…機械室
１０…棚網
１２…棚受柱
１３…凸面
１４…取付孔
１６…棚受金
１７…載置部
１８…支え部
１９…引掛部
２０…差込部
２１…案内部
２３…棚受梁
２４…曲部
２５…上面壁
２７…係合突起
２８…貫通孔
２９…樹脂板
３０…嵌合部
３１…切欠部
３２…残された嵌合部
３３…取付部
３４…係合孔
３５…固着孔
３６…端部
【図１】
0003828718.tif 000002
【図２】
0003828718.tif 000003
【図３】
0003828718.tif 000004
【図４】
0003828718.tif 000005
【図５】
0003828718.tif 000006
【図６】
0003828718.tif 000007
【図７】
0003828718.tif 000008
【図８】
0003828718.tif 000009
【図９】
0003828718.tif 000010
【図１０】
0003828718.tif 000011
【図１１】
0003828718.tif 000012
【図１２】
0003828718.tif 000013